(57)【要約】【課題】施工者が止水栓の接続口の向きを所定の角度傾けて取り付けることを容易とし、施工性の向上とともに、精度よく止水栓の接続口の向きを設定し取り付けることができるワン座を提供する。【解決手段】椀型に本体部が形成され、本体部の中央部には給水配管と接続される接続口を有する止水栓が貫通し、椀型の縁部が壁面に接触して壁面を覆うワン座であって、本体部の外表面に形成され、接続口の方向を指示する方向指示部と、方向指示部を所定の方向に位置決めする位置決め手段と、を有する。【選択図】図３
2019060182.tif 000002
【特許請求の範囲】
【請求項１】
椀型に本体部が形成され、前記本体部の中央部には給水配管と接続される接続口を有する止水栓が貫通し、椀型の縁部が壁面に接触して壁面を覆うワン座であって、
前記本体部は、前記接続口の方向を指示する方向指示部と、前記方向指示部を所定の方向に位置決めする位置決め手段と、を有することを特徴とするワン座。
【請求項２】
前記位置決め手段は、前記本体部の外表面に形成された直線状の基準線であって、前記基準線は本体部の外表面の中心を通過するように形成されていることを特徴とする請求項１に記載のワン座。
【請求項３】
前記方向指示部は、前記本体部の外表面に形成されていることを特徴とする請求項１又は２に記載のワン座。
【請求項４】
前記本体部は、正面視において、縁部に少なくとも一つの頂点からなる突出部を有し、上記突出部は前記方向指示部又は前記位置決め手段であることを特徴とする請求項１乃至３のいずれか１項に記載のワン座。
【請求項５】
前記本体部は、正面視において、前記縁部に少なくとも二つの隣接する頂点を有し、二つの前記頂点によって前記縁部に構成される平面部は前記方向指示部又は前記位置決め手段であることを特徴とする請求項１乃至４のいずれか１項に記載のワン座。
【請求項６】
前記本体部は、正面視において、前記本体部の前記縁部の全周が前記本体部の中心に対して対称な多角形状に形成されていることを特徴とする請求項４又は５に記載のワン座。
【請求項７】
前記本体部は壁面と平行な平坦面と、壁面と垂直な立面からなる椀型形状であって、前記方向指示部及び前記位置決め手段は前記平坦面に設けられていることを特徴とする請求項１乃至６のいずれか１項に記載のワン座。
【発明の詳細な説明】
【技術分野】
【０００１】
本発明は、給水源と水回り機器（特に水洗便器）とを接続するために、壁面又は床面に形成された管接続部を覆うように設けられたワン座であって、施工性の向上と施工精度を向上させるワン座に関する。
【背景技術】
【０００２】
従来、給水源と接続された室外配管と、室内側に設置された水回り機器（例えば、水洗便器、衛生洗浄機器、水洗機器など）に接続された給水配管とは、床や壁等に施された管接続部にて接続され、水回り機器への給水が行われている。一般的にはこの管接続部の室内側において、壁面が貫通された管接続部の意匠性の確保や、虫の侵入防止を目的として化粧材（以下、ワン座と呼ぶ）が設けられている。
【０００３】
特許文献１には床面に設置された水洗大便器が開示されており、水洗大便器に水を供給する給水配管の端部に止水栓が設けられ、壁面を介して室外配管と接続されている。壁面から水平に延びた止水栓には給水配管の端部と接続される接続口が形成されており、この接続口は垂直下方向に開口している。この止水栓と壁面との間に、全体としてワン状に形成されたワン座を設けることで、壁面に形成された管接続部を隠蔽し、外観意匠性を向上させている。
【先行技術文献】
【特許文献】
【０００４】
【特許文献１】特開２００７−２１８８８４号公報
【発明の概要】
【発明が解決しようとする課題】
【０００５】
ところで、近年では意匠性の高い水洗大便器を提供するために、管接続部を水洗大便器自体によって隠蔽することが知られている。この場合、管接続部と便器との距離が短くなる上に、給水配管自体が所定の強度を有するため、給水配管のキンク条件が厳しくなる。そのため、給水配管に急な曲がりが形成されて高い張力が発生しないように、止水栓の接続口の向きを給水配管の配線方向に合わせるよう設定しなければならず、例えば斜め方向に接続口の向きを調整する必要があった。
【０００６】
すなわち、特許文献１のような垂直に止水栓の接続口を開口させるもののように、周囲の壁面や床面を基準として接続口の向きを調整することができず、現場施工者の感覚によって所定の方向に接続口を設定されていたため、施工性が悪い上に精度よく接続口の向きを調整することは困難であった。
【０００７】
そこで本発明は、施工者が止水栓の接続口の向きを所定の角度傾けて取り付けることを容易とし、施工性の向上とともに、精度よく接続口の向きを設定し取り付けることができるワン座を提供するものである。
【課題を解決するための手段】
【０００８】
上記の目的を達成するために、本発明は、椀型に本体部が形成され、本体部の中央部には給水配管と接続される接続口を有する止水栓が貫通し、椀型の縁部が壁面に接触して壁面を覆うワン座であって、本体部は、接続口の方向を指示する方向指示部と、方向指示部を所定の方向に位置決めする位置決め手段と、を有する。
【０００９】
このように構成された本発明のワン座によれば、本体部に接続口の方向を指示する方向指示部を設け、位置決め手段によって方向指示部が所定の位置に配置されるように本体部を取り付けることができる。これにより、現場施工者は本体部の方向指示部に従って止水栓の接続口の向きを容易に設定することができ、所望の方向で接続口と給水配管とを精度よく取り付けることができる。
【００１０】
ここで、本明細書において「止水栓」とは、外部からの操作によって水の流通を調整する操作部位と、内部に水を流通させる管状部材とを含んだものの総称である。例えば、止水栓と接続口とを自在継手等によって中継したものであっても、これらを含んで「止水栓」と称する。
【００１１】
また、本明細書において「管接続部」とは室内に給水するために水供給系が壁面に取り付けられた部分を指し、本明細書における「壁面」とは周囲に立設した周壁のみならず、床壁面も含む。
【００１２】
本発明において、好ましくは、位置決め手段は、本体部の外表面に形成された直線状の基準線であって、基準線は本体部の外表面の中心を通過するように形成されている。
【００１３】
このように構成された本発明によれば、本体部の外表面には、直線状の基準線が設けられているため、その基準線が周囲の壁面に対して垂直又は水平となるように本体部を位置決めすることで、方向指示部が所定の位置となるよう取り付けることができる。また、基準線が本体部の外表面の中心線を示すため、作業者が中心からの角度を視認することができ、接続口が所望の方向に位置決めされているかどうかの確認作業が容易となる。これにより、施工性の向上とともに、所望の方向で接続口と給水配管とを精度よく取り付けることができる。
【００１４】
本発明において、好ましくは、方向指示部は、本体部の外表面に形成されている。
【００１５】
このように構成された本発明によれば、本体部の外表面に方向指示部が形成されているため、施工者から見て視認性が良く、施工性の向上とともに、所望の方向で接続口と給水配管とを精度よく取り付けることができる。
【００１６】
本発明において、好ましくは、本体部は、正面視において、縁部に少なくとも一つの頂点からなる突出部を有し、突出部は方向指示部又は位置決め手段である。
【００１７】
このように構成された本発明によれば、本体部の縁部が、本体部の中心から外縁に向かう方向に突出しているため、この突出部が止水栓によって隠蔽されることなく、施工者が視認しやすく施工が容易である。なお、突出部を方向指示部とする場合には、本体部の中心と突出部とを結ぶ仮想直線の延在方向に接続口の向きを設定することができる。また、突出部を位置決め手段とする場合には、本体部の中心と突出部とを結ぶ仮想直線が周囲の壁面に対して垂直又は水平となるように本体部を位置決めすることができる。さらに、突出部を２つ以上形成することで、方向指示部及び位置決め手段を本体部に形成することができる。
【００１８】
なお、本明細書において、「正面視」とは壁面に取り付けられた本体部を正面から見た様を示しており、壁面との対面する側からの視点を指すものである。また、「縁部」とは正面視における外縁部分を示すものである。
【００１９】
本発明において、好ましくは、本体部は、正面視において、縁部に少なくとも二つの隣接する頂点を有し、二つの頂点によって縁部に構成される平面部は方向指示部又は位置決め手段である。
【００２０】
このように構成された本発明によれば、本体部の縁部が、平面部を有するため、この平面部が止水栓によって隠蔽されることなく、施工者が視認しやすく施工が容易である。なお、平面部を方向指示部とする場合には、本体部の中心から延在して平面部に直交する仮想直線の延在方向に接続口の向きを設定することができる。また、突出部を位置決め手段とする場合には、本体部の中心から延在して平面部に直交する仮想直線が周囲の壁面に対して垂直又は水平となるように本体部を位置決めすることができる。さらに、平面部を２つ以上形成することで、方向指示部及び位置決め手段を本体部に形成することができる。
【００２１】
本発明において、本体部は、正面視において、本体部の縁部の全周が本体部の中心に対して対称な多角形状に形成されている。
【００２２】
このように構成された本発明によれば、本体部の縁部全周が多角形状に形成されているため、複数の突出部又は平面部を有する。本体部は対称な複数の対角又は対面を有するため、施工者が本体部の中心から突出部又は平面部に延びる仮想直線を想定しやすく、施工性が良い。また、本体部の全周を任意の多角形に形成することで、簡易な構成で位置決め手段と方向指示部とを本体部に形成することができる。
【００２３】
本発明において、好ましくは、本体部は壁面と平行な平坦面と、壁面と垂直な立面からなる椀型形状であって、方向指示部及び位置決め手段は平坦面に設けられている。
【００２４】
このように構成された本発明によれば、管接続部が設けられた壁面と平行な平坦面に方向指示部及び位置決め部が形成されているため、例えば本体部外表面が曲面に形成されている場合に比べて、方向指示部及び位置決め部を本体部に形成しやすく、さらに施工者が方向指示部及び位置決め部を目視し易く方向指示部の位置決めや接続口の調整が容易となるため、施工性と施工精度を向上させることができる。
【発明の効果】
【００２５】
施工者が止水栓の接続口の向きを所定の角度傾けて取り付けることを容易とし、施工性の向上とともに、精度よく接続口の向きを設定し取り付けることができるワン座を提供するものである。
【図面の簡単な説明】
【００２６】
【図１】本発明の第１実施形態におけるワン座が適用された水洗大便器装置を示す正面図である。
【図２】本発明の第１実施形態におけるワン座が適用された水洗大便器装置を示す側面図である。
【図３】本発明の第１実施形態における給水配管が接続されたワン座及び止水栓を示す斜視図である。
【図４】図３の止水栓及びワン座を示すｘ方向から見た側面図である。
【図５】図３の止水栓及びワン座を示すｚ方向から見た正面図である。
【図６】本発明の第２実施形態におけるワン座を示す正面図である。
【図７】本発明の第３実施形態におけるワン座を示す正面図である。
【図８】本発明のワン座が適用された別の実施形態を示す正面図である。
【図９】本発明のワン座が適用された別の実施形態を示す側面図である。
【発明を実施するための形態】
【００２７】
以下では、本明細書に開示する発明の実施の形態について図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００２８】
まず、本発明の第１実施形態について、図１及び図２を用いて説明する。
【００２９】
図１は、本発明の第１施形態におけるワン座８が適用され、便器本体部６上方に衛生洗浄装置４を備える水洗大便器装置２を示す正面図である。また、図２は図１と同様のワン座８が適用された水洗大便器装置２を示す側面図である。
【００３０】
図１及び図２に示すように、水洗大便器装置２は壁面１２側に後方が位置するように室内に配置され、壁面１２には室外から水洗大便器装置２に洗浄水を供給する室外配管と接続するための管接続部（図示せず）が形成されている。また、管接続部には止水栓１０が接続されており、止水栓１０には水洗大便器装置２に洗浄水を供給するための給水配管２８が接続される接続口１４を備えている。
【００３１】
また、管接続部を覆うようにワン座８が設けられている。このワン座８が壁面１２に形成された管接続部を覆うことによって、室外から虫が侵入することを防止し、さらに外観意匠性を向上させることができる。
【００３２】
さらに、便器本体部６の側面の後方側は着脱可能なサイドパネル１６によって覆われている。これにより、配管施工の際にはこのサイドパネル１６を取り外した状態で便器本体部６の内部の施工が行われ、施工後はサイドパネル１６が取り付けられる。
【００３３】
ここで、給水配管２８は水洗大便器装置２に洗浄水を供給するものであるが、一般的に給水配管２８は給水圧に耐えうる強度が必要となるため、メタルホース等によって構成される。そのため、給水配管２８を大きく曲げた状態で施工してしまうと、給水配管２８に高い張力が発生してしまう。本発明の第１施形態によれば、接続口１４は給水配管２８の配線方向を向くように設置されているため（図３参照）、給水配管２８を無理に折り曲げることなく、配線方向に沿った接続を行うことができる。
【００３４】
つぎに、図３乃至図５を用いて、本発明の第１実施形態におけるワン座８について詳述する。図３は図１のワン座８の拡大斜視図を示し、図４は図３のｘ方向からの側面図を示し、図５は図３のｚ方向からの正面図を示すものである。
【００３５】
まず、図３乃至図５に示す第１実施形態において、水洗大便器装置２に接続された給水配管２８は止水栓１０に対して斜め上方から延びており、接続口１４も斜め上方を向くように設定されている。これにより、給水配管２８の配線に沿った方向で給水配管２８と止水栓１０とを接続することができ、給水配管２８に高い張力を発生させずに組み付けることができる。以下では、ワン座８を用いた接続口１４と給水配管２８との接続方法について説明する。
【００３６】
ワン座８は、自身が取り付けられる壁面１２と垂直な立面２０と、壁面１２と平行な平坦面１８とによってワン座本体部９が構成されており、中心に設けられた貫通孔２６には止水栓１０が貫通している。ワン座本体部９の外形は全体として椀型に形成されており、本体部９は管接続部（図示せず）を覆うように設けられている。なお、本発明の実施形態において、周囲に立設された壁面にワン座８が設けられた態様について説明するが、これに限定されるものではなく、例えば床面等にワン座８を取り付けてもよい。
【００３７】
ここで、ワン座本体部９の平坦面１８の外表面側には貫通孔２６の中心を通過するように基準線２２（位置決め手段）及び方向指示部２４が設けられている。なお、基準線２２及び方向指示部２４は平坦面１８に目印として形成されていればよく、平坦面１８の表面形状を変更する等によって形成されていてもよいし、着色等によって形成されていてもよい。また、基準線２２及び方向指示部２４が平坦面１８に設けられているため、施工者の視認性が良く、施工性を向上させることができる。
【００３８】
また、基準線２２は一方の外縁から他方の外縁にかけて直線となるように平坦面１８の外表面に形成されている。本発明の一実施形態においては、この基準線２２が垂直方向（図３のｙ方向）に延在するようにワン座本体部９を回転させて位置決めを行う。
【００３９】
基準線２２を垂直方向に延在させるためには、例えば室内側方の壁面に対して水平（図３のｙ方向）となるように設けることで、基準線が垂直方向に延在するように位置決めすることができる。なお、必ずしも周囲の壁面に対して水平（図３のｙ方向）とする必要はなく、例えば側方の壁面に基準線２２が垂直（図３のｘ方向）となるように基準線２２を形成してもよい。また、位置合わせの基準とする壁面は床面であってもよい。
【００４０】
さらに、ワン座本体部９の平坦面１８の外表面側には基準線２２に対して所定の角度となるように方向指示部２４が設けられており、基準線２２が垂直方向に延在するようにワン座本体部９を回転させて位置決めを行うと、方向指示部２４が所定方向を向くように位置決めされる。
【００４１】
本発明の一実施形態においては、方向指示部２４は基準線２２に対して時計回り方向４５°を向くように配置されている。止水栓１０は接続口１４の開口が方向指示部２４の方向に向くように回転させて調整され、止水栓１０と給水配管２８とは方向指示部２４の位置で接続される。なお、方向指示部２４の位置は、給水配管２８の配線方向によって適宜調整されるものであるため、４５°でなくともよい。
【００４２】
また、基準線２２が中心を通過しており、基準線２２がワン座本体部９の外表面の中心線を示すため、作業者が中心からの角度を視認することができ、接続口１４が所望の方向に位置決めされているかどうかの確認作業が容易となる。
【００４３】
つぎに、図６を用いて本発明のワン座８における第２実施形態、図７を用いて本発明のワン座８における第３実施形態、について説明する。図６はワン座８の第２実施形態におけるｚ方向からの正面図を示し、図７はワン座８の第３実施形態におけるｚ方向からの正面図を示すものである。なお、上述した第１実施形態と同じ部分に関しては説明を省略する。
【００４４】
本発明のワン座８における第２実施形態を図６に示す。図６は外縁全周を正八角形に形成したワン座本体部９を示すものであり、ワン座本体部９の外縁全周が多角形状に形成されている。
【００４５】
図６に示すようにワン座本体部９の縁部全周は８つの頂点からなる正八角形となるよう形成されている。それぞれの頂点はワン座本体部９の縁部から突出しており、突出部として構成されている。本発明の第２実施形態においては、頂点Ａ３０から構成される第１突出部３０が位置決め手段、頂点Ｃ３０から構成される第２突出部３０が方向指示部として機能する。
【００４６】
正面視（図３のｚ方向）において、第１突出部３０と貫通孔２６の中心とを結ぶ仮想直線（図６の点線）が、垂直方向に延在するようにワン座本体部９を回転させることで位置決めを行うことができる。
【００４７】
また、正面視（図３のｚ方向）において、ワン座本体部９の縁部には第１突出部３０（頂点Ａ）と隣接する第２突出部３４（頂点Ｃ）が形成されている。本第２実施形態においては、第２突出部３４を方向指示部として構成しており、第２突出部３４と貫通孔２６の中心とを結ぶ仮想直線（図６の一点鎖線）が延在する方向が接続口１４の向きを指示する。なお、ここでは第１突出部３０と第２突出部３４とが隣接する態様を示したが、給水配管２８の配線方向によっては必ずしも隣接して構成する必要はない。
【００４８】
第１突出部３０（位置決め手段）によって、上述のように位置決めを行うと、第２突出部３４（方向指示部）が所定方向を向くように位置決めされる。接続口１４は第１突出部３０と貫通孔２６の中心を通過する仮想直線に対して、第２突出部３４が時計回り方向４５°を向くように配置されており、止水栓１０と給水配管２８とは第２突出部３４の方向で接続される。
【００４９】
また、頂点Ａ３０の対角である頂点Ｂ３２、頂点Ｃ３４の対角である頂点Ｄ３６を形成することも好ましい。この場合、２つの頂点を繋ぐ対角線が仮想直線となるため、仮想直線を施工者が想定しやすい。
【００５０】
このように、本発明の第２実施形態によれば、ワン座本体部９に形成された突出部を方向指示部又は位置決め手段として機能させることができる。
【００５１】
つぎに、図７に本発明のワン座８における第３実施形態を示す。第３実施形態は第２実施形態と同様の構成であるが、第２実施形態とはワン座本体部９の縁部に形成した方向指示部及び位置決め手段の形態が異なる。
【００５２】
図７に示すように、ワン座本体部９の縁部全周は８つの頂点からなる正八角形となるよう形成されている。それぞれの頂点は直線状に連続しており、正面視において、それぞれの頂点を結ぶ平面は平面部として構成されている。本発明の第３実施形態においては、頂点Ａ３０と頂点Ｅ３８とからなる第１平面部４２が位置決め手段、頂点Ａ３０と頂点Ｃ３４とからなる第２平面部４４が方向指示部として機能する。
【００５３】
正面視（図３のｚ方向）において、貫通孔２６の中心を通り第１平面部４２に延びる垂線である仮想直線（図７の点線）が、垂直方向に延在するようにワン座本体部９を回転させることで位置決めを行うことができる。
【００５４】
また、正面視（図３のｚ方向）において、ワン座本体部９の外縁には第１平面部４２と隣接する第２平面部４４が形成されている。本発明の第３実施形態においては、第２平面部４４を方向指示部として構成しており、貫通孔２６の中心を通り第２平面部４４に延びる垂線である仮想直線（図７の一点鎖線）が延在する方向が接続口１４の向きを指示する。なお、ここでは第１平面部４２と第２平面部４４とが隣接する態様を示したが、給水配管２８の配線方向によっては必ずしも隣接して構成する必要はない。
【００５５】
第１平面部４２（位置決め手段）によって、上述のように位置決めを行うと、第２平面部４４（方向指示部）が所定方向を向くように位置決めされる。接続口１４は第１平面部４２と貫通孔２６の中心を通過する仮想直線に対して、第２平面部４４と貫通孔２６の中心を通過する仮想直線が時計回り方向４５°を向くように配置されており、止水栓１０と給水配管２８とはその向きに沿って接続される。
【００５６】
また、頂点Ａ３０、頂点Ｃ３４、頂点Ｅ３８の対角である、頂点Ｂ３２、頂点Ｄ３６、頂点Ｆ４０を形成して、第１平面部４２及び第２平面部４４の対向面をすることも好ましい。この場合、平面部が対向面に形成されるため、対向面を通る垂線である仮想直線を施工者が想定しやすい。
【００５７】
このように、本発明の第３実施形態によれば、ワン座本体部９に形成された平面部を方向指示部又は位置決め手段として機能させることができる。
【００５８】
なお、ワン座８に関する３つの実施形態について上述したが、これらの実施形態に限るものではない。例えば、ワン座本体部９に突出部や平面部を形成したものに、基準線２２や方向指示部２４を追加してもよい。すなわち、位置決め手段及び方向指示部が少なくとも１つワン座本体部９に設けられる構成とすれば、どのようにワン座８を構成するかは当業者が適宜選択することができる。
【００５９】
図８及び図９を用いて、本発明のワン座８を適用した別の実施形態について説明する。上述した実施形態と共通する部分については説明を省略する。
【００６０】
図８及び図９は、本発明の別の実施形態における水洗大便器装置１０２を示す正面図及び側面図であり、上述した実施形態と同様に、便器本体部１０６の上方に衛生洗浄装置１０４を備えている。また、便器本体部１０６の後方側にはワン座１０８が設けられており、基準線１２２（位置決め手段）及び方向指示部１２４が設けられている点は上述した実施形態と同様である。
【００６１】
ここで、止水栓１１０は壁面から水平に延びた後、下方に折り返したのちに水平方向に延在するように設けられている。
【００６２】
つぎに、水平方向に延在する部分には第１接続口１２６と、第２接続口１２８とが設けられている。第１接続口１２６は便器本体部１０６からの給水配管（図示せず）と接続され、第２接続口１２８は衛生洗浄装置１０４からの給水配管（図示せず）と接続される。
【００６３】
このように、接続口が複数設けられたものであっても、基準線１２２及び方向指示部１２４によって所定の方向で接続することが可能となるため、施工性を向上させつつ、施工精度を向上させることができる。ここでは、第１接続口１２６と第２接続口１２８とが同一方向で接続されている例を示したが、互いに異なる方向で給水配管と接続する場合には、方向指示部１２４を対応する数設ければよい。
【００６４】
また、止水栓１１０には自在継手１３０が設けられており、水平方向に回転可能に構成されている。止水栓１１０に自在継手１３０を設けることで、接続口の位置を給水配管側に調整することができる。
【００６５】
この場合、自在継手１３０に回転規制手段１３２を設けることも好ましい。自在継手１３０を設けることで、回転しやすくなるため給水配管の張力によって接続口の位置が変わってしまうおそれがあるが、回転規制手段１３２を設けることによってこれを防止する。なお、回転規制手段１３２は歯車面状のもので構成し、自在継手１３０との当接面が歯車によって回転を防止するよう構成することが好ましい。
【符号の説明】
【００６６】
２        水洗大便器装置
４        衛生洗浄装置
６        便器本体部
８        ワン座
９        ワン座本体部
１０      止水栓
１２      壁面
１４      接続口
１６      サイドパネル
１８      平坦面
２０      立面
２２      基準線（位置決め手段）
２４      方向指示部
２６      貫通孔
２８      給水配管
３０      頂点Ａ
３２      頂点Ｂ
３４      頂点Ｃ
３６      頂点Ｄ
３８      頂点Ｅ
４０      頂点Ｆ
４２      第１平面部
４４      第２平面部
１０２    水洗大便器装置
１０４    衛生洗浄装置
１０６    便器本体部
１０８    ワン座
１１０    止水栓
１１２    壁面
１２２    基準線
１２４    方向指示部
１２６    第１接続口
１２８    第２接続口
１３０    自在継手
１３２    回転規制手段
【図１】
2019060182.tif 000003
【図２】
2019060182.tif 000004
【図３】
2019060182.tif 000005
【図４】
2019060182.tif 000006
【図５】
2019060182.tif 000007
【図６】
2019060182.tif 000008
【図７】
2019060182.tif 000009
【図８】
2019060182.tif 000010
【図９】
2019060182.tif 000011